(57)【特許請求の範囲】
【請求項１】
コンタクトガラスの原稿をセンサユニットで読み取るスキャナ部と、
該スキャナ部の下部において前記スキャナ部と一体に設けられ、インクを吐出するインクジェットヘッドを支持するヘッド支持部と、
該ヘッド支持部の下部に配置され、記録紙カセット及び前記インクジェットヘッドに対向する位置に配置されたプラテンを有するベース部と
前記記録紙カセットにセットされた記録紙を上方へ反転させて前記プラテンへ供給する一組の第１の搬送ローラ及び第２の搬送ローラと
を備え、
前記ベース部は、前記一組の第１の搬送ローラ及び第２の搬送ローラのうち、前記第１の搬送ローラを備え、
前記ヘッド支持部は、一組の前記第１の搬送ローラ及び前記第２の搬送ローラのうち、前記第２の搬送ローラを備え、
前記第１の搬送ローラ及び前記第２の搬送ローラは互いに対向する位置に配置され、前記インクジェットヘッドが前記プラテンに対向する位置にあり、前記インクジェットヘッドから前記プラテン上の記録紙にインクを吐出可能な通常状態で、前記第１の搬送ローラ及び前記第２の搬送ローラは接触して記録紙を搬送可能な状態となり、
前記ヘッド支持部を回動させた回動状態で、前記ヘッド支持部及び前記第２の搬送ローラが前記スキャナ部と一体に上方へ回動して、前記第１の搬送ローラと前記第２の搬送ローラとが離れることにより、前記ベース部の前記プラテンと前記第１の搬送ローラとが装置本体の外部へ開放される
ことを特徴とするインクジェット記録装置。
【発明の詳細な説明】
【０００１】
【発明の属する技術分野】
プリンタ、ファクシミリ、複写機、デジタル複合機（ＭＦＰ）等のインクジェット記録手段を搭載した構成のインクジェット記録装置に関するものである。
【０００２】
【従来の技術】
従来のインクジェット記録装置の装置筐体は、インクジェットヘッドが支持され、記録紙カセットを備える下部筐体と、該下部筐体に対して上方に開放可能に支持され、スキャナを備える上部筐体とを有しており、インクタンク及びヘッドの交換時や記録紙搬送路中のジャム時には、上部筐体を上方に開いて各処理を行えるように構成されている（たとえば、特許文献１参照）。
また、記録部をテーブルに装着して記録装置筐体の外に引き出し可能とし、ジャム処理の操作性を図った技術もある（たとえば、特許文献２参照）。
【０００３】
また、インクジェット記録装置はインク滴を用紙に着弾させて記録を行うため、記録紙後端部がフリーになった状態で印字すると、印字によるコックリングや紙自体のカールによって記録紙後端部が跳ね上がり、記録紙が記録ヘッドに接触して、画像が汚れたり、ノズルの目詰まりを起こしてしまう。そのため、記録紙は搬送ローラ等により記録ヘッドによる印写領域のぎりぎりまで押さえられており、インクジェットヘッドの下側に記録紙が詰まった場合には、ジャム処理が容易でない。
図１０はそのときの様子を示す概略図である。（１）はインクジェットヘッド、（２）はガイドロッド、（３）はプラテン、（４）（５）は搬送ローラ、（６）はジャム紙である。図のように、上部筐体を上方に開いて下部筐体の内部をその上方から覗き込んでも、インクジェットヘッド（１）が邪魔となってジャム紙（６）を目視できない。またインクジェットヘッド（１）の下側に詰まったジャム紙（６）を無理に引き出すと、ジャム紙（６）が破れ、その小片がインクジェットヘッド（１）の下に残ってしまうおそれもある。
【０００４】
【特許文献１】
特開平１０−１２６５４１号公報
【特許文献２】
特開平１０−１７５３４８号公報
【０００５】
【発明が解決しようとする課題】
上記問題点に鑑み、本発明は、インクジェットヘッドの下側に記録紙が詰まった場合でもジャム紙を容易に除去可能なインクジェット記録装置を提供する事を目的とする。
【０００６】
【課題を解決するための手段】
上記課題を解決するために、本発明は、コンタクトガラスの原稿をセンサユニットで読み取るスキャナ部と、該スキャナ部の下部において前記スキャナ部と一体に設けられ、インクを吐出するインクジェットヘッドを支持するヘッド支持部と、該ヘッド支持部の下部に配置され、記録紙カセット及び前記インクジェットヘッドに対向する位置に配置されたプラテンを有するベース部と前記記録紙カセットにセットされた記録紙を上方へ反転させて前記プラテンへ供給する一組の第１の搬送ローラ及び第２の搬送ローラとを備え、前記ベース部は、前記一組の第１の搬送ローラ及び第２の搬送ローラのうち、前記第１の搬送ローラを備え、前記ヘッド支持部は、一組の前記第１の搬送ローラ及び前記第２の搬送ローラのうち、前記第２の搬送ローラを備え、前記第１の搬送ローラ及び前記第２の搬送ローラは互いに対向する位置に配置され、前記インクジェットヘッドが前記プラテンに対向する位置にあり、前記インクジェットヘッドから前記プラテン上の記録紙にインクを吐出可能な通常状態で、前記第１の搬送ローラ及び前記第２の搬送ローラは接触して記録紙を搬送可能な状態となり、前記ヘッド支持部を回動させた回動状態で、前記ヘッド支持部及び前記第２の搬送ローラが前記スキャナ部と一体に上方へ回動して、前記第１の搬送ローラと前記第２の搬送ローラとが離れることにより、前記ベース部の前記プラテンと前記第１の搬送ローラとが装置本体の外部へ開放されることを特徴とする。
以上
【０００８】
【発明の実施の形態】
以下より、本発明の実施の形態について図に基づき説明する。
図１は、インクジェット記録装置の概略斜視図である。
ベース部（８）には、記録紙カセット（７）が挿入されている。また（９）はヘッド支持部であり、スキャナ部（１０）に一体的に取り付けられている。スキャナ部（１０）には、操作表示部（１１）、コンタクトガラス（１２）、圧板（１３）も取り付けられている。（１４）は記録紙の排紙口、（１５）はスタック部である。ここでベース部（８）とヘッド支持部（９）は回動可能に取り付けられている。
【０００９】
図２及び図３は、インクジェット記録装置の概略断面図である。
図２にて記録動作の説明をする。スキャナ部（１０）のコンタクトガラス（１２）上に原稿をセットし、圧板（１３）によって押える。読取開始信号によってセンサユニット（２１）がＡ方向に移動しながら、原稿の画情報を読み取る。記録側は、カセットにセットされた記録紙（１６）が記録紙分離部（１７）によって一枚に分離搬送され、搬送ローラ（４）、（５）によって印字部に送られる。ここでプラテン（３）とインクジェットヘッド（１）の間に搬送された記録紙に、ヘッド（１）がガイドロッド（２）に支持されて図２の奥行方向に移動しながら記録紙に向かってインクを吐出する。そこでまた所定量、記録紙を移動してヘッドが走査する。これを繰り返して記録紙に画像が形成される。印刷された記録紙は排紙口（１４）から装置の外へ搬出され、スタック部（１５）に積載されていく。
【００１０】
図３はジャム処理時の動作を示す図である。ベース部（８）とヘッド支持部（９）の回動支点（２０）を中心として、ヘッド支持部（９）とスキャナ部（１０）とを回動させ、インクジェットヘッド（１）とプラテン（３）を開放した図である。このように、インクジェットヘッド（１）とスキャナ部（１０）とを取付けて上部筐体として一体に構成する事により、上部筐体を開けるという操作だけで簡単にジャム紙を除去できる。
その理由としては、
１）スキャナ部が開くので、ジャム部の視認性が良い。
２）ヘッド支持部も開くので、手が入りやすい。
３）搬送ローラ（５）が開放されるので、ジャム紙を引っ張ってもテンションがかからない。
等が挙げられる。
効果としては、
１）視認性が良いので、ジャム紙や紙片を残らず除去できる。
２）手が入りやすいので、作業性が良い。
３）テンションがかかっていないので、記録紙を引っ張っても破れない。
等が挙げられる。更に、プラテン（３）や搬送ローラ（４）、（５）等の清掃も容易になる効果もある。
【００１１】
図４は、図２及び図３とはスキャナ部の構成が異なる実施形態の断面図で、図５はその斜視図である。ここでセットされた原稿（２３）は、原稿分離部（２４）によって一枚づつに分離搬送され、更に搬送ローラ対（２５）によって読取部へ送られる。原稿はＢ方向に搬送されながら、圧板（２６）とコンタクトガラス（２７）の間でセンサユニット（２８）によって画情報が読み取られる。その後、排紙ローラ対（２９）によって排紙トレイ（３０）上に排紙、スタックされる。（３１）は原稿テーブルである。
ここで図２、３との違いは、スキャナ部が原稿固定型（ブック型）スキャナ（１０）か、原稿移動型（シートスルー型）スキャナ（２２）かの違いである。このように本発明はスキャナの形態によらずに適用可能である。
【００１２】
図６は、ロック機構を設けたインクジェット記録装置の（ａ）通常の状態及び（ｂ）回動時を示す断面図である。図６において、スキャナ部（１０）にはヘッド（１）やガイドロッド（２）を取り付けたヘッド支持部（９）が取り付けられている。プラテン（３）はベース部（８）に取り付けられており、これらは支点（２０）で回動可能になっている。またベース部（８）にはロックピン（３２）が設けられており、これにヘッド支持部（９）のロック爪（３３）がかかっている。このロック爪（３３）を図示しない解除レバー等でロックピン（３２）から外す事によって、図６（ｂ）に示すように回動させる事ができる状態になる。
なお、図６は図２の記録装置のＣ方向から見た図となり、外観斜視図は図１と同じであるが、回動する方向が異なる。この様にインクジェットヘッド（１）とプラテン（３）の開放する方向はどの方向でも良い。
【００１３】
図７は、ロック機構を２つ設けたインクジェット記録装置の（ａ）通常の状態、（ｂ）（ｃ）回動時を示す断面図である。図７（ａ）において、ベース部（８）には第二ロックピン（３８）が設けられており、ヘッド支持部（９）の第二ロック爪（３９）がかかっている。またベース部（８）とヘッド支持部（９）は第二支点（３４）で回動可能に取り付けられている。次に、ヘッド支持部（９）には第一ロックピン（３６）が設けられており、スキャナ部（１０）の第一ロック爪（３７）がかかっている。またヘッド支持部（９）とスキャナ部（１０）は第一支点（３５）によって回動可能に取り付けられている。
図７（ｂ）は、第一ロック爪（３７）を外してスキャナ部（１０）を開けた図である。これは例えばインクカートリッジの交換を上方から行うような構成の記録装置の場合、この状態にすればインクカートリッジの交換が容易に行える。
図７（ｃ）は、ヘッド支持部（９）に設けられている第二ロック爪（３９）を、ベース部（８）の第二ロックピン（３８）から外して第二支点（３５）を中心に回動した図である。この状態では記録紙ジャムが発生した場合にジャム紙を容易に除去する事ができる。
この様な構成にする事により、上方からインクカートリッジ等を交換する等、ヘッドとスキャナの間を離間させたい構成にも適用でき、必要な部分だけを開けて目的の作業を容易に行うことができる。
【００１４】
図８はロック機構を設けたインクジェット記録装置を示し、（ａ）通常の状態、（ｂ）回動時を示す断面図である。図８において、ベース部（８）とヘッド支持部（９）、ベース部（８）とスキャナ部（１０）が支点（４０）で回動可能に取り付けられている。またベース部（８）にはロックピン（４１）が設けられており、ここにスキャナ部（１０）のロック爪（４３）がかかっている。このロック爪（４３）を外す事により、図８（ｂ）に示すようにスキャナ部（１０）を開ける事ができる。また、ヘッド支持部（９）には特にロック機構は設けられていないため、図８（ｂ）の状態で開ける事ができる。
図８の構成では、ロック機構と回転支点部周辺部品とが１セットで良いため、複数箇所が回動する構成にした場合に、コストダウンを図ることができる。
【００１５】
図８のロック機構において、ヘッド部（９）に引っ掛け部（４２）を設けた図を図９に示す。引っ掛け部（４２）を設けることで、ロック爪（４３）を外してスキャナ部（１０）を回動させると、このロック爪（４３）がヘッド部（９）の引っ掛け部（４２）に引っ掛かり、それ以上の角度回動すると同一の支点（４０）を中心にヘッド部（９）も連れて回動する。
【００１６】
なお、本発明は、インクジェットヘッド（１）が走査して記録するシャトルタイプのインクジェット記録装置で説明したが、ラインヘッドタイプのインクジェット記録装置でも適用できる。
また、図２〜５では、スキャナの走査方向と記録紙の搬送方向が同一な方向になっているが、この方向は関係無く、スキャナの走査方向と記録紙の搬送方向が直交していても角度がついていても適用できる。
更に、図６でも説明したが、プラテン（３）とインクジェットヘッド（１）の開閉方向は、どの方向でも良い。
【００１７】
【発明の効果】
以上説明したように、本発明によれば、ジャム紙を破る事無く引っ張り出すことができ、また、ジャム除去時のヘッド等の破損を防ぐ事ができ、ジャム処理時の操作性、更にはローラの清掃等のメンテナンス性も向上したインクジェット記録装置を提供することができる。
【図面の簡単な説明】
【図１】インクジェット記録装置の概略斜視図である。
【図２】インクジェット記録装置の概略断面図である。
【図３】ジャム処理時の動作を示す断面図である。
【図４】図２、図３とはスキャナ部の構成が異なるインクジェット記録装置の断面図である。
【図５】図４のインクジェット記録装置の斜視図である。
【図６】ロック機構を設けたインクジェット記録装置を示し、（ａ）通常の状態、（ｂ）回動時を説明するための断面図である。
【図７】ロック機構を２つ設けたインクジェット記録装置を示し、（ａ）通常の状態、（ｂ）第一ロック機構開放時、（ｃ）第二ロック機構開放時を説明するための断面図である。
【図８】ロック機構を設けたインクジェット記録装置を示し、（ａ）通常の状態、（ｂ）回動時を説明するための断面図である。
【図９】図８のインクジェット記録装置に引っ掛け部を設けた図である。
【図１０】インクジェットヘッドの下側に記録紙が詰まった様子を示す概略図である。
【符号の説明】
１  インクジェットヘッド
２  ガイドロッド
３  プラテン
４、５  搬送ローラ
６  ジャム紙
７  記録紙カセット
８  ベース部
９  ヘッド支持部
１０、２２  スキャナ部
１１  操作表示部
１２、２７  コンタクトガラス
１３、２６  圧板
１４  排紙口
１５  スタック部
１６  記録紙
１７  記録紙分離部
１８  排紙ローラ
２０、３４、３５、４０  回動支点
２１、２８  センサユニット
２３  原稿
２４  原稿分離部
２５、２９  搬送ローラ対
３０  排紙トレイ
３１  原稿テーブル
３２、３６、３８、４１  ロックピン
３３、３７、３９、４３  ロック爪
４２  引っ掛け部
【図１】
0004128427.tif 000002
【図２】
0004128427.tif 000003
【図３】
0004128427.tif 000004
【図４】
0004128427.tif 000005
【図５】
0004128427.tif 000006
【図６】
0004128427.tif 000007
【図７】
0004128427.tif 000008
【図８】
0004128427.tif 000009
【図９】
0004128427.tif 000010
【図１０】
0004128427.tif 000011